(57)【特許請求の範囲】
【請求項１】
リンガまたはスピーカを備えた携帯電話装置において、
音声入力部と、
当該携帯電話装置が通話中ではないことを認識し、前記音声入力部に入力された音声の音圧が予め設定された基準音圧以上と判断された場合に、所定時間、前記入力された音声の音声パターンを抽出する音声分析手段と、
当該携帯電話装置の使用者の前記音声パターンを音声標準パターンとして記憶する標準パターン蓄積部と、
前記入力された音声から抽出された前記音声パターンと前記標準パターン記憶部に記憶された前記音声標準パターンとの比較を行う音声パターン比較手段とを備え、
前記比較の結果、前記入力された音声が前記使用者の音声であると認識された場合に、前記リンガまたはスピーカを鳴動させるように制御することを特徴とする携帯電話装置。
【発明の詳細な説明】
【０００１】
【発明の属する技術分野】
本発明は携帯無線電話装置に関し、特に、セルラー電話、PHS等の携帯電話が見当たらない場合にその所在を明らかにする手段を備えた携帯電話装置に関する。
【０００２】
【従来の技術】
最も近い従来技術としては、例えば特開平５−３２７６１５号が開示されている。これは、携帯電話自身が放置されていることを認識し、警報音を鳴動することにより、携帯電話の紛失の可能性を低くするものである。すなわち、携帯電話は、自らが載置台から離れていることを判別し、離れている場合にはさらに通話中であるかどうかを判別する。通話中でなければ通話が開始されるまでのあらかじめ決められた時間をタイマ動作させ、タイマが終了するまでに通話が開始されなければ放置されていると携帯電話自身が判断し、警報音を鳴動するとともに所有者情報を表示させるものである。
【０００３】
【発明が解決しようとする課題】
携帯電話を出かけ先で紛失したり、電車の中に置き忘れた場合など、携帯電話の使用者が携帯電話を紛失し、かつその不携帯に気付かない場合の対策としては、上記従来技術は有用である。
【０００４】
しかしながら、携帯電話の紛失に気付き、室内等おおよその携帯電話の所在は予測できるが、単に他のものに隠れているため見当たらない場合、あるいは単にまわりが暗くて見当たらない場合などは、従来技術では発見までに非常に時間がかかり適当ではないといういう問題があった。
このような場合、使用者はできるだけ早い携帯電話の発見を望む。見当たらない携帯電話を探す際、例えば近くに固定電話がある場合では、使用者は自分の携帯電話番号に発信し、所有の携帯電話を鳴動させることで、その所在を明らかにする手段が考えられる。しかしながら、近くに他の電話がない場合や、携帯電話が圏外エリアの場合には、上記方法は利用できない。
本発明の目的は、見当たらない携帯電話の所在を明らかにするために、使用者の音声に反応し携帯電話が鳴動するようにした携帯通信装置を提供することにある。
【０００５】
【課題を解決するための手段】
上記目的を達成するための本発明は、リンガまたはスピーカを備えた携帯電話装置において、音声入力部と、当該携帯電話装置が通話中ではないことを認識し、前記音声入力部に入力された音声の音圧が予め設定された基準音圧以上と判断された場合に、所定時間、前記入力された音声の音声パターンを抽出する音声分析手段と、
当該携帯電話装置の使用者の前記音声パターンを音声標準パターンとして記憶する標準パターン蓄積部と、前記入力された音声から抽出された前記音声パターンと前記標準パターン記憶部に記憶された前記音声標準パターンとの比較を行う音声パターン比較手段とを備え、前記比較の結果、前記入力された音声が前記使用者の音声であると認識された場合に、前記リンガまたはスピーカを鳴動させるように制御することを特徴とする。
【０００７】
上記構成によれば、使用者の音声に反応し携帯電話が鳴動するので、見当たらない携帯電話の所在を明らかにすることができる。
【０００８】
【発明の実施の形態】
以下、図面を参照して、本発明の実施の形態について説明する。
本発明は携帯電話に音声分析機能を搭載し、使用者のあるレベル以上の音声を検出し反応することで、自らの所在を明らかにすることを特徴とする。携帯電話は、使用者以外の音声や周囲の騒音に反応することが無いように、使用者（特定話者）のみの音声入力に対して出力音を発するよう構成される。すなわち、使用者は本発明の携帯電話を入手した時に、自らの音声を携帯電話に登録する。携帯電話は登録された音声パターンを記憶し、パターンと一致する音声入力に対してのみ反応する。
【０００９】
また、本発明においては、使用者の通話中の音声で本発明の機能が実行されないよう構成する必要がある。つまり、携帯電話が通話中以外の場合（待受け中、圏外）のみに、本発明の機能が実行されるよう構成する。
【００１０】
さらに、使用者が携帯電話を認知している場合の、使用者の通常の会話音声によって本システムが作動することのないよう工夫する必要がある。見当たらない携帯電話を探索する際、使用者は、町中で迷子の子供やペットを声を発して探す場合と同様の感覚で、通常よりも大きな音声を発する。本発明の携帯電話は感知する音声の閾値レベルが設定され、それ以上の音声レベルが携帯電話に与えられた場合に本機能が起動する。
【００１１】
図１は本発明の携帯電話端末の構成を示すブロック図である。図２は本発明の携帯電話端末における動作のフローチャートある。
図１において、マイクロフォン１により入力された音声の音圧を音圧計算手段２により求め、事前に閾値音圧設定部３に設定された値との比較を音圧比較部４で行い、閾値レベル以上か否かの信号をCPU９へ送る。閾値レベル以上ならCPU９は音声分析手段５をONさせ、マイクロフォン１により入力された音声パターンを音声分析手段５にて抽出し、事前に音声パターン蓄積部６へ登録した使用者の音声標準パターンとの比較を音声パターン比較部７で行うことにより、使用者の音声か否かの信号をCPU９へ送る。使用者の音声であれば、CPU９はリンガ８を鳴動させる。ここで、ＣＰＵ９はマイクロコンピュータを主制御部として備え、各部の制御を行う。
【００１２】
図２において、まず、通話中でないことを認識し（Ｓ1）、入力音声レベルが閾値レベル以上と判断した（Ｓ２）携帯電話は、音声分析機能を適当な時間（t秒間）ONにする（Ｓ３）。このとき、入力音声が使用者の音声と認識されれば（Ｓ４）、携帯電話をＴ秒間鳴動または音声発生させる（Ｓ５）。Ｔ秒間過ぎてまだ見つけられないような場合には、上記の動作を繰り返す。
【００１３】
【発明の効果】
以上説明したように、本発明の携帯電話装置は、いつでも“携帯電話探索”を実現するには、使用者と携帯電話間のインターフェースを音で行うことが最適であり、また、利便性の面からは携帯電話以外の機器を使用せずに実現することが望ましい。本発明によれば、見当たらない携帯電話を探す際、固定電話等他の機器を利用することなく、使用者の音声に反応してその所在を明らかにすることが可能である。
【００１４】
また、本発明では、携帯電話の出力音は携帯電話が既に持ち合わせているリンガあるいはスピーカを利用することで実現でき、音声分析も特定話者の音声検出で良く、わずかのハードウェアの追加で機能を実現することが出来る。
また、使用者の携帯電話へのインターフェイスが最も基本的な使用者自身の音声であり、煩わしい操作は一切必要としない。
【００１５】
さらに、着信メロディーの普及に見られるように、特に若年層の間では携帯電話を自分専用にチューニングするという要求が強い。携帯電話の出力音に動物の鳴き声などの選択肢を設け、携帯電話に話し掛けるとペットが鳴いてくれるという感覚を提供するなど、本発明により上記最近の消費者のニーズを満足させることができる。
【図面の簡単な説明】
【図１】本発明の携帯電話端末の構成を示すブロック図である。
【図２】本発明の携帯電話端末における動作のフローチャートある。
【符号の説明】
１  マイクロフォン
２  音圧計算手段
３  基準（閾値）音圧設定部
４  閾値音圧設定部
５  音声分析手段
６  音声パターン蓄積部
７  音声パターン比較部
８  リンガ
９  ＣＰＵ
【図１】
0004189107.tif 000002
【図２】
0004189107.tif 000003